(57)【特許請求の範囲】
【請求項１】
トンネル側壁に沿って設けた監視員通路の路肩から道路に面した側壁に取付口を開口した消火栓埋込部と、
前記消火栓埋込部に設置され、筐体内に先端にノズルを装着したホースを収納すると共に、前記ノズルを前記筐体から外部に出し入れ自在に支持するノズル取出機構を備えた消火栓装置と、
を設けたトンネル内消火栓設備に於いて、前記消火栓装置のノズル取出機構は、
前記監視員通路側に面した筐体上面のノズル取出口に開閉自在に設けたノズル扉と、
前記ノズル扉の開放操作に連動して前記ノズルを前記ノズル取出口から外部に回動して上方に露出させる回転ホルダと、
を設けたことを特徴とするトンネル内消火栓設備。
【請求項２】
請求項１記載のトンネル内消火栓設備に於いて、前記回転ホルダを、一端を回転自在に支持し、他端に前記ノズルを保持した回動部材としたことを特徴とするトンネル内消火栓設備。
【請求項３】
請求項２記載のトンネル内消火栓設備に於いて、前記回転ホルダは、前記ノズルを保持した面を前記道路に面した側壁側に向けた状態で回転することを特徴とするトンネル内消火栓設備。
【請求項４】
トンネル側壁に沿って設けた監視員通路の路肩から道路に面した側壁に取付口を開口した消火栓埋込部と、
前記消火栓埋込部に設置され、筐体内に先端にノズルを装着したホースを収納すると共に、前記ノズルを前記筐体から外部に出し入れ自在に支持するノズル取出機構を備えた消火栓装置と、
を設けたトンネル内消火栓設備に於いて、前記消火栓装置のノズル取出機構は、
前記筐体のノズル取出口から上方に出し入れ自在に設けたノズルホルダと、
消火栓弁の開操作により供給される消火用水の水圧により作動して前記ノズルホルダを前記ノズル取出口から外部に上昇して露出させる水圧アクチュエータを設けたことを特徴とするトンネル内消火栓設備。
【請求項５】
請求項４記載のトンネル内消火栓設備に於いて、前記ノズルホルダは、
フレームパイプを矩形六面体に配置したホルダ本体と、
前記ホルダ本体の上面に配置され、前記ノズル取出口を開閉する扉板と、
前記ホルダ本体の内部に前記ノズルを着脱自在に保持するホルダ金具と、
を設けたことを特徴とするトンネル内消火栓設備。
【請求項６】
請求項４記載のトンネル内消火栓設備に於いて、前記水圧アクチュエータに、前記消火栓弁の閉鎖により消火用水の水圧が所定値以下に低下した場合に開放して前記水圧アクチュエータから消火用水を排水することによる前記ノズルホルダを下降して前記筐体内に収納させる自動排水機構を設けたことを特徴とするトンネル内消火栓設備。
【請求項７】
請求項２又は４記載のトンネル内消火栓設備に於いて、前記ノズル取出口の開口周縁にホースガイドを設けたことを特徴とするトンネル内消火栓設備。
【請求項８】
請求項１記載のトンネル内消火栓設備に於いて、前記消火栓装置は、前記ノズル取出機構とホース収納部を分離配置したことを特徴とするトンネル内消火栓設備。
【発明の詳細な説明】
【技術分野】
【０００１】
本発明は、消火栓装置に収納したノズル付きのホースを引き出して放水するトンネル内消火栓設備に関する。
【背景技術】
【０００２】
従来、高速道路や自動車専用道路などのトンネル内に設置する消火栓装置は、開放自在な消火栓扉を備えた筐体の消火栓収納部に、先端にノズルを装着したホースとバルブ類を収納し、また、開閉自在な消火器扉を備えた消火器収納部に例えば２本の消火器を収納している。
【０００３】
このような消火栓装置は、トンネル内に設けた監視員通路に面した側壁に沿って例えば５０メートル間隔で設置している。監視員通路は路面に対し１メートル程度高くした側壁通路として設け、トンネル内の車両通行を妨げることなく且つ安全にトンネル内に設置している消火栓装置を含む各種の機器の点検を行うことを可能としている。
【０００４】
火災を伴う車両事故が発生した場合には、事故車両の運転者等の利用者は、消火栓装置の消火栓扉を開いてノズル付きのホースを引き出し、消火栓弁開閉レバーを操作することで消火ポンプ設備を起動して放水することにより消火作業を行うことができる。
【先行技術文献】
【特許文献】
【０００５】
【特許文献１】特開２００８−０５５０２４号公報
【特許文献２】特開２００９−２８５１２６号公報
【発明の概要】
【発明が解決しようとする課題】
【０００６】
しかしながら、このような従来のトンネル内に設置した消火栓装置にあっては、監視員通路に面したトンネル側壁に沿って設置していたため、車両事故による火災の発生時に利用者は、路面から監視員通路を超えたトンネル側壁に設置している消火栓装置に手を伸ばして消火栓扉を開き、ホースを引き出して消火作業を行う必要があり、消火栓装置が路面から離れた高い位置に設置されているため、人によっては手が届かずに監視員通路に上がって操作しなければならない場合もあり、また、監視員通路によっては手摺りを設けており、手摺りが消火作業の邪魔になり、扱いづらい場合があった。
【０００７】
この問題を解決するためには、消火栓装置をトンネル内の道路に面した監視員通路側壁に沿って埋込設置すればよいが、車両火災が発生して消火器扉の前に車両が停止している場合には、停止車両が邪魔になって、消火栓扉を開いてホースを引き出すことができないか、消火栓装置の操作に手間取ってしまう場合もある。
【０００８】
本発明は、道路側及び監視員通路側から簡単且つ容易に取り扱うことができるトンネル内消火栓設備を提供することを目的とする。
【課題を解決するための手段】
【０００９】
（トンネル内消火栓設備：回転ホルダによるノズル取出機構）
本発明は、
トンネル側壁に沿って設けた監視員通路の路肩から道路に面した側壁に取付口を開口した消火栓埋込部と、
消火栓埋込部に設置され、筐体内に先端にノズルを装着したホースを収納すると共に、ノズルを前記筐体から外部に出し入れ自在に支持するノズル取出機構を備えた消火栓装置と、
を設けたトンネル内消火栓設備に於いて、
監視員通路側に面した筐体上面のノズル取出口に開閉自在に設けたノズル扉と、
ノズル扉の開放操作に連動してノズルをノズル取出口から外部に回動して上方に露出させる回転ホルダと、
を設けたことを特徴とする。
【００１０】
（回転ホルダ）
回転ホルダを、一端を回転自在に支持し、他端にノズルを着脱自在に保持した回動部材とする。
【００１１】
また、回転ホルダは、ノズルを保持した面を道路に面した側壁側に向けた状態で回転する。
【００１２】
（トンネル内消火栓設備：水圧駆動のノズル取出機構）
本発明は、
トンネル側壁に沿って設けた監視員通路の路肩から道路に面した側壁に取付口を開口した消火栓埋込部と、
消火栓埋込部に設置され、筐体内に先端にノズルを装着したホースを収納すると共に、ノズルを前記筐体から外部に出し入れ自在に支持するノズル取出機構を備えた消火栓装置と、
を設けたトンネル内消火栓設備に於いて、消火栓装置のノズル取出機構は、
筐体のノズル取出口から上方に出し入れ自在に設けたノズルホルダと、
消火栓弁の開操作により供給される消火用水の水圧により作動してノズルホルダをノズル取出口から外部に上昇して露出させる水圧アクチュエータを設けたことを特徴とする。
【００１３】
（ノズルホルダ）
ノズルホルダは、
フレームパイプを矩形六面体に配置したホルダ本体と、
ホルダ本体の上面に配置され、ノズル取出口を開閉する扉板と、
ホルダ本体の内部にノズルを着脱自在に保持するホルダ金具と、
を設ける。
【００１４】
（ホース収納部とノズル取出機構の分離構造）
消火栓装置は、ノズル取出機構とホース収納部を分離配置する。
【００１５】
（自動排水機構）
水圧アクチュエータに、消火栓弁の閉鎖により消火用水の水圧が所定値以下に低下した場合に開放して水圧アクチュエータから消火用水を排水することによりノズルホルダを下降して筐体内に収納させる自動排水機構を設ける。
【００１６】
（ホースガイド）
ノズル取出口の開口周縁にホースガイドを設ける。
【発明の効果】
【００１７】
（基本的な効果）
本発明はトンネル内消火栓設備に於いて、トンネル側壁に沿って設けた監視員通路の路肩から道路に面した側壁に取付口を開口した消火栓埋込部と、消火栓埋込部に設置され、筐体内に先端にノズルを装着したホースを収納すると共に、ノズルを前記筐体から外部に出し入れ自在に支持するノズル取出機構を備えた消火栓装置とを設けるようにしたため、トンネル内で火災を伴う車両事故の発生時には、所定のノズル取出操作を行うと、ノズル取出機構により監視員通路の路肩に位置している消火栓装置の上面からノズルが出てきて外部に取り出され、消火栓扉の開放操作を必要とすることなく、簡単且つ容易にノズル付きホースを引き出して消火を行うことができる。
【００１８】
また、ノズルは監視員通路の路肩に位置する筐体上面から出てくるため、道路側からも監視員通路からも簡単且つ容易にノズル付きホースを引き出して消火を行うことができる。
【００１９】
（回転ホルダによるノズル取出機構の効果）
また、消火栓装置のノズル取出機構は、筐体のノズル取出口に開閉自在に設けたノズル扉と、ノズルを着脱自在に保持し、ノズル扉の開放操作に連動してノズルをノズル取出口から外部に回動して露出させる回転ホルダとを設け、また、回転ホルダを、一端を回転自在に支持し、他端にノズルを着脱自在に保持した回動部材とするようにしたため、監視通路の路肩に位置する筐体上面に設けたノズル扉を開くと回転ホルダの回動によりノズル取出口からノズルが外部に取り出され、簡単な機構構造によりノズルを外部に取り出すことを可能とする。
【００２０】
（水圧駆動のノズル取出機構による効果）
また、消火栓装置のノズル取出機構は、筐体のノズル取出口から上方に出し入れ自在に設けたノズルホルダと、消火栓弁の開操作により供給される消火用水の水圧により作動してノズルホルダをノズル取出口から外部に上昇して露出させる水圧アクチュエータを設け、また、ノズルホルダは、フレームパイプを矩形六面体に配置したホルダ本体と、ホルダ本体の上面に配置され、ノズル取出口を開閉する扉板と、ホルダ本体の内部にノズルを着脱自在に保持するホルダ金具とを設けた構造としたため、消火栓装置に供給されている消火用水の水圧を利用した水圧アクチュエータの作動により、監視員通路の路肩に位置している消火栓装置の上面から外部にノズルを取出し、消火栓扉の開放操作を必要とすることなく、簡単且つ容易にノズル付きホースを引き出して消火を行うことができる。
【００２１】
（自動排水機構による効果）
また、水圧アクチュエータに消火用水を供給する配管経路に、消火栓弁の閉鎖により消火用水の水圧が所定値以下に低下した場合に開放して水圧アクチュエータから消火用水を排水してノズルホルダを筐体内に収納させる自動排水機構を設けるようにしたため、ノズル付きホースを引き出して消火作業を終了した後に消火栓弁を閉鎖すると、水圧アクチュエータからの排水によりノズルホルダの下降を可能とし、水抜きしたホースを収納した後に、ノズルホルダを上から押すことで筐体内に収納可能とする。
【００２２】
（ホースガイドによる効果）
また、筐体上面に形成したノズル取出口の開口周縁にホースガイドを設けるようにしたため、筐体内から引出すホースはノズル取出口の開口周縁で擦れるが、ここにホースガイドを配置しておくことで、ホースガイドに沿ってホースが滑らかに引き出され、ホースの摩耗防止やホース引出し力の低減を可能とする。
【００２３】
（ホース収納部とノズル取出機構の分離構造による効果）
また、消火栓装置は、ノズル取出機構とホース収納部を分離配置するようにしたため、例えば、ノズル取出機構を消火栓装置の筐体内に設け、ホース収納部は消火栓装置の筐体から分離した別の場所に配置することで、監視員通路の路肩から道路に面した側壁に開口した取付口に埋込み設置する消火栓装置を小型化且つ軽量化することを可能とする。
【図面の簡単な説明】
【００２４】
【図１】トンネル内に設置した消火栓設備を示した説明図
【図２】消火栓装置を監視員通路に埋込み設置したトンネル内消火栓設備を示した説明図
【図３】回転ホルダによるノズル取出し状態を示した説明図
【図４】消火栓装置を正面から示した説明図
【図５】回転ホルダによるノズル取出機構を設けた消火栓装置の内部構造を示した説明図
【図６】回転ホルダによるノズル取出機構を設けた消火栓装置の内部構造を示した平面図
【図７】回転ホルダによるノズル取出し状態の消火栓装置を示した説明図
【図８】水圧アクチュエータにより作動するノズル取出機構を設けた消火栓装置の内部構造を示した説明図
【図９】水圧アクチュエータによりノズル取出し状態の消火栓装置を示した説明図
【図１０】ホース収納部とノズル取出機構を分離配置した消火栓装置を示した説明図
【図１１】ホース収納部及びバルブ類収納部とノズル取出機構を分離配置した消火栓装置を示した説明図
【発明を実施するための形態】
【００２５】
［トンネル内消火設備の概要］
図１はトンネル内に設置した消火栓装置を示した説明図である。図１に示すように、トンネル１０内には蒲鉾状のトンネル壁面１２により覆われた道路１５を設けられており、この例にあっては、道路１５は１方向２車線としている。
【００２６】
道路１５の左側のトンネル壁面１２に沿って監視員通路１４を設けており、監視員通路１４の路肩から道路１５側の側壁１４ａの部分に消火栓装置１６を埋込み設置している。また、消火栓装置１６に隣接して消火器箱１７を埋込み設置している。消火栓装置１６及び消火器箱１７はトンネル長手方向の５０メートルおきに設置している。
【００２７】
監視員通路１４の下は空洞となってダクト１８を形成しており、ダクト１８の奥には給水本管２０や電線管２２等を敷設している。
【００２８】
消火栓装置１６の背後なるダクト１８の空間は、消火栓装置１６の点検作業スペースとしており、上部の監視員通路１４に出入口２４を設け、消火栓装置１６を点検する場合に点検員の出入りを可能とし、通常時は、出入口２４を例えば格子蓋により閉鎖している。
【００２９】
［消火栓装置の設置構造］
図２は消火栓装置を監視員通路に埋込み設置したトンネル内消火栓設備を示した説明図であり、図２（Ａ）に正面を示し、図２（Ｂ）に平面を示す。図３は回転ホルダによるノズル取出し状態を示した説明図であり、図３（Ａ）に正面を示し、図３（Ｂ）に平面を示す。
【００３０】
図２に示すように、トンネル壁面１２の長手方向に、所定長さのコンクリートブロックにより作られた側壁１４ａを連続して配置し、その上にコンクリート製の路面板を並べて載せることで監視員通路１４を構築している。監視員通路１４の下にはダクト１８となる空洞が形成され、また、側壁１４ａの上部には手摺り２５を設けている。ダクト１８内に設けた給水本管２０からは給水管２１が分岐され、消火栓装置１６に接続している。
【００３１】
監視員通路１４の路肩から側壁１４ａには、５０メートル間隔で取付口１９を形成し、取付口１９に消火栓装置１６の筐体上面が監視員通路１４の通路面に露出し、且つ筐体の前面が道路１５の路面に面するように消火栓装置１６を埋込み設置している。
【００３２】
消火栓装置１６の裏側のダクト１８は点検作業スペースとなり、点検作業スペースの上となる監視員通路１４の部分に出入口２４を設け、出入口２４は開閉自在な格子蓋３４により閉鎖しており、消火栓装置１６を点検する場合には格子蓋３４を開いて出入口２４から点検員が点検作業スペースの中に入り、消火栓装置１６を背後から点検する。
【００３３】
このため消火栓装置１６の筐体は裏面開口には開閉自在な裏扉４０を設けており、点検作業スペースに入った点検員は、消火栓装置１６の裏扉４０を開き、筐体内部に設置しているノズル付きホースや消火栓弁を含むバルブ類等の点検を可能とする。
【００３４】
消火栓装置１６の前面は、下側に前面パネル２６を固定し、上側に上向きに開閉自在な保守扉２８を設けている。
【００３５】
消火栓装置１６の監視員通路１４側に面した筐体上面には開閉自在なノズル扉３６を設けており、ハンドル３８に手を入れて上向きに開放可能としている。図３に示すように、ノズル扉３６を開放すると、ノズル取出機構により監視員通路１４の路肩に位置している消火栓装置１６の上面からノズル４４が出てきて外部に取り出され、消火栓扉等の開放操作を必要とすることなく、簡単且つ容易にノズル付きホースを引き出して消火を行うことを可能とする。
【００３６】
本実施形態のノズル取出機構は、ノズル扉３６を左側に回動するように開くと、ノズル扉３６に一端を連結したワイヤ６４により引かれて消火栓装置１６の内部の回転部材として機能する回転楕円ホルダ４２が上向き回りに回転してノズル開口４６から上方に取り出され、回転楕円ホルダ４２にはホース先端に装着したノズル４４が着脱自在に保持しており、回転楕円ホルダ４２の回動によりノズル４４が外部に取り出される。
【００３７】
また、ノズル開口４６の周縁には、パイプフレームを使用したホースガイド４８を設けており、消火栓装置１６の内部から引き出したホースをホースガイド４８で案内し、ホースの摩耗防止とホース引出し力の低減を図っている。
【００３８】
また、消火栓装置１６の前面上部には、通報装置パネル３０と消火栓操作パネル３２を配置している。
【００３９】
［消火栓装置の構成］
（消火栓装置の前面構造）
図４は消火栓装置を正面から示した説明図である。図４に示すように、消火栓装置１６は、筐体６０の前面開口の下側に前面パネル２６を配置して固定しており、上側にヒンジ２８ａにより開閉自在な保守扉２８を設けている。保守扉２８はハンドル２８ｂに手を入れてロックを外すことで、上向きに開放できる。
【００４０】
筐体６０の上部左側には通報装置パネル３０を配置している。通報装置パネル３０には、赤色表示灯５０、発信機５２及び応答ランプ５４を設けている。赤色表示灯５０は常時点灯し、消火栓装置１６の設置場所が遠方から分かるようにしている。火災時には、発信機５２を押して押し釦スイッチをオンすると、発信信号が監視室の火災受信機に送信されて火災警報が出され、これに伴い応答信号が火災受信機から送られて、応答ランプ５４を点灯する。
【００４１】
筐体６０の上部右側には消火栓操作パネル３２を配置している。消火栓操作パネル３２には消火栓開放釦５６と消火栓閉鎖釦５８を設け、消火栓開放釦５６を押圧操作すると内蔵した電動型の消火栓弁を開駆動し、一方、消火栓閉鎖釦５８を押圧操作すると消火栓弁を閉駆動する。
【００４２】
（消火栓装置の内部構造）
図５は回転ホルダによるノズル取出機構を設けた消火栓装置の内部構造を示した説明図、図６は回転ホルダによるノズル取出機構を設けた消火栓装置の内部構造を示した平面図、図７は回転ホルダによるノズル取出し状態の消火栓装置を示した説明図である。
【００４３】
消火栓装置１６の筐体６０内には、ホース収納部７０及びバルブ類収納部７２を設けている。ホース収納部７０にはホースバケット構造７６を設け、ホースバケット構造７６は、上下２本と左右２本のバケットフレームによりホース取出口７８を仕切り形成している。ホースバケット構造７６は裏面側に同様なバケットフレームの配置によるホース取出口を仕切形成している。
【００４４】
ホース収納部７０には、正面から見て右巻きとなるようにホース８０を内巻きして収納しており、ホース８０の先端にはノズル４４を装着し、後述するノズル取出機構の回転楕円ホルダ４２に着脱自在に保持している。ノズル４４は放水部とハンドルで構成しており、例えばノズル先端の操作リングを回すことで、噴霧放水と棒状放水を切替え可能としている。
【００４５】
ホース収納部７０の右側に形成したバルブ類収納部７２には、ダクト内の給水本管から分岐した給水管を接続する配管接続口８２からホース８０に至る配管系統に、給水弁８４、消火栓弁８６、自動調整弁８８、及びメンテナンス装置９０を設けている。本実施形態の消火栓弁８６はモータ駆動により開閉する電動弁を使用している。また、給水弁８４の手前には消防隊員が使用するポンプ起動釦７５を設けている。
【００４６】
［ノズル取出機構］
図５及び図６に示すように、消火栓装置１６の筐体６０内には、ノズル取出機構として、回転中心Ｏを持つ回転軸４５により回動自在に回転ホルダとして機能する回転楕円ホルダ４２を配置しており、回転楕円ホルダ４２の板面にはホルダ金具６２を設け、ホルダ金具６２にホース８０の先端に装着したノズル４４を着脱自在に保持している。
【００４７】
回転楕円ホルダ４２に相対して筐体６０の上面にはノズル開口４６を形成し、ノズル開口４６には左側の回転軸４５によりハンドル３８を備えたノズル扉３６を開閉自在に設けている。ノズル扉３６の先端内側と回転楕円ホルダ４２の回転中心Ｏの反対側の端部との間にはワイヤ６４を連結している。また、ノズル開口４６の周縁にはパイプフレームを使用したホースガイド４８を配置している。
【００４８】
トンネル内で車両火災が起きて消火栓装置１６を使用する場合には、消火栓装置１６の監視員通路１４の路肩部分となる筐体上面に設けているノズル扉３６をハンドル３８に手を入れて開放する。このノズル扉３６の開放によりワイヤ６４に引かれて回転楕円ホルダ４２が回転中心Ｏの回転軸４５により左回りに回動し、図７に示すように、回転楕円ホルダ４２は長軸方向が略垂直に立った位置に回動し、これによりホルダ金具６２により回転楕円ホルダ４２に保持しているノズル４４を外部に取り出す。
【００４９】
このように消火栓装置１６からその上方に取り出されたノズル４４は、道路１５側からも、監視員通路１４側からも、簡単且つ容易に取り出してホースを引き出すことができる。
【００５０】
また、ノズル４４を取ってホース８０を引き出す場合には、消火栓操作パネル３２に設けている消火栓開放釦５６を押圧操作すると内蔵したスイッチがオンし、電動弁を用いた消火栓弁８６を開駆動し、また、ポンプ設備に対しポンプ起動信号を送信してポンプを起動し、消火用水の加圧供給を継続させ、ノズル４４の開操作で消火用水を放水して消火作業を行う。
【００５１】
消火栓装置１６を使用した消火作業が終了した場合には、消火栓操作パネル３２に設けた消火栓閉鎖釦５８を押圧操作すると内蔵したスイッチがオンし、電動弁を用いた消火栓弁８６を閉駆動し、また、ポンプ設備に対しポンプ停止信号を送信してポンプを停止させる。
【００５２】
また、消火栓装置１６の復旧作業として、ホース８０の水抜き行った後に、ノズル開口４６から筐体６０内にホース８０を送り込みながらホースバケット構造７６の中にホース８０を巻き戻す。このホース８０の巻き戻し作業は、消火栓装置１６の背後のダクト１８内に作業者が入り、消火栓装置１６の裏扉４０を開いてホース８０を巻き戻す作業を行う。
【００５３】
なお、ノズル取出機構に設けた回動部材としての回転楕円ホルダ４２に代えて長円形の板部材を用いた回転長円ホルダとしても良い。
【００５４】
［水圧アクチュエータによるノズル取出機構］
図８は水圧アクチュエータにより作動するノズル取出機構を設けた消火栓装置の内部構造を示した説明図、図９は水圧アクチュエータによるノズル取出し状態の消火栓装置を示した説明図である。
【００５５】
図８に示すように、本実施形態のノズル取出機構は、筐体６０内に架台９７により支持した基台の矩形コーナ部に、４本の水圧アクチュエータ９４を上向きに起立配置しており、水圧アクチュエータ９４はシリンダ筒の内部にピストンを摺動自在に備え、ピストンから上方にロッド９８を取出している。
【００５６】
水圧アクチュエータ９４から上方に取り出したロッド９８の先端にはノズルホルダ９２を配置している。ノズルホルダ９２は６本のパイプフレームを矩形６面体となるように配置しており、ノズルホルダ９２の上面にホルダ扉９３を配置し、ノズルホルダ９２の内部に起立した取付板１００にホルダ金具６２を設けて、ホース８０の先端に装着したノズル４４を下側から引き込んで着脱自在に保持している。
【００５７】
水圧アクチュエータ９４に対しては、ホース８０を接続する配管８５の途中から分岐した配管９５を連結し、消火栓弁８６の開駆動により消火用水を供給して水圧を加え、ロッド９８によりノズルホルダ９２を上方に押し上げ可能としている。
【００５８】
また、水圧アクチュエータ９４に対する配管には例えば自動排水弁９６を設けている。自動排水弁９６は水圧が加わると閉鎖し、水圧が無くなると開放して水圧アクチュエータ９４からの水抜きによる下降を可能とする。なお、自動排水弁９６の代え、水圧が加わった場合に閉鎖する逆止弁とオリフィスを組み合わせたオートドリップを設けても良い。
【００５９】
トンネル内で車両火災が起きて図８の消火栓装置１６を使用する場合には、消火栓操作パネル３２に設けている消火栓開放釦５６を押圧操作する。消火栓開放釦５６を押圧操作すると、内蔵したスイッチがオンし、電動弁を用いた消火栓弁８６を開駆動し、また、ポンプ設備に対しポンプ起動信号を送信してポンプを起動し、消火用水の加圧供給を継続させる。
【００６０】
消火栓弁８６の開駆動により消火用水が水圧アクチュエータ９４に供給されると、水圧によりロッド９８を押し上げ、ノズル４４を保持しているノズルホルダ９２を上昇させ、図９に示すように、ノズル４４を消火栓装置１６の上方に取り出す。このように消火栓装置１６からその上方に取り出されたノズル４４は、道路１５側からも、監視員通路１４側からも、簡単且つ容易に取り出してホースを引き出すことができる。
【００６１】
消火栓装置１６を使用した消火作業が終了した場合には、消火栓操作パネル３２に設けた消火栓閉鎖釦５８を押圧操作すると内蔵したスイッチがオンし、電動弁を用いた消火栓弁８６を閉駆動し、また、ポンプ設備に対しポンプ停止信号を送信してポンプを停止させる。
【００６２】
これにより水圧アクチュエータ９４に加わる水圧が無くなり、配管９５に設けた自動排水弁９６は開放状態となることから、ホース８０の巻き戻し作業が終了した段階で、ノズルホルダ９２を押し込むと、水圧アクチュエータ９４から排水しながら下降し、図８に示した初期位置に戻すことができる。
【００６３】
なお、図８の実施形態では、水圧アクチュエータ９４を４台設けているが、水圧アクチュエータ９４を設けている４カ所にガイドロッドを配置し、その中央に単一の水圧アクチュエータを配置した構造としても良い。
【００６４】
［ホース収納部とノズル取出機構を分離配置した実施形態］
図１０はホース収納部とノズル取出機構を分離配置した消火栓装置を示した説明図である。
【００６５】
図１０に示すように、監視員通路１４の路肩から壁面１４ａの取付口１９に埋込設置した消火栓装置１６内には、例えば図５乃至図７の実施形態を例にとると、回転楕円ホルダ４２にノズル４４を保持したノズル取出機構を収納している。一方、消火栓装置１６の床部１０２の下側にホース収納部１０４を形成し、ホース収納部１０４にドラム１０６を回転自在に支持し、ホース８０をドラム１０６から床板１０２のホース開口１０８を通して消火栓装置１６内に引き込み、ホース先端にノズル４４を装着している。
【００６６】
また、消火栓装置１６の内部には給水弁８４、消火栓弁８６、自動調整弁８８及びメンテナンス装置９０を含むバルブ類を設置し、メンテナンス装置９０の２次側から床部１０２の下のホース収納部１０４に配管８５を引込み、ドラム１０６の回転軸の側面に設けた回転継手に連結し、ドラム１０６に巻き込んでいるホース８０に消火用水を供給可能としている。
【００６７】
このように消火栓装置１６からホース収納部１０４を分離配置したことで、監視員通路１４の路肩から側壁１４ａに埋込設置する消火栓装置１６の横幅及び奥行を小さくて小型化と軽量化を可能とする。
【００６８】
図１１はホース収納部及びバルブ類収納部とノズル取出機構を分離配置した消火栓装置を示した説明図である。
【００６９】
図１１に示すように、本実施形態にあっては、図１０の実施形態で消火栓装置１６内に配置していたバルブ類についてもホース収納部１０４に分離配置するようにしている。即ち、ダクト１８から床部１０２を介して給水管２１をホース収納部１０４に引込み、ドラム１０６の回転継手との間に消火栓弁８６、自動調整弁８８及びメンテナンス装置９０を含むバルブ類を設置している。
【００７０】
このように消火栓装置１６からホース収納部１０４及びバルブ類収納部を分離配置したことで、監視員通路１４の路肩から側壁１４ａに埋込設置する消火栓装置１６の横幅及び奥行を更に小さくて小型化と軽量化を可能とする。
【００７１】
なお、図１０及び図１１に示した構造の消火栓装置は、図８及び図９に示した水圧アクチュエータを使用したノズル取出機構を設けた消火栓装置についても、同様に適用可能である。
【００７２】
また、図１１の実施形態にあっては、ホース収納部１０４に電動弁を使用した消火栓弁８６を配置しているが、他の実施形態として、電動弁を使用しない手動操作型の消火栓弁を配置し、消火栓装置１６の筐体内に設けた消火栓弁開閉レバーの開閉操作をワイヤー連結により消火栓弁に伝達して遠隔操作により開閉するようにしても良い。この場合、消火栓装置１６の筐体内に設けた消火栓弁開閉レバーは、例えば、筐体前面又は筐体上面に操作扉を設け、この操作扉を開いて筐体内の消火栓弁開閉レバーを操作する構成としても良い。
【００７３】
［本発明の変形例］
（消火器箱）
上記の実施形態は、消火器収納部を連設しない消火栓装置を例にとっているが、消火器収納部を連設するようにしても良い。
【００７４】
（消火栓弁）
上記の実施形態では、電動弁を用いた消火栓弁を例にとっているが、消火栓弁開閉レバーにより遠隔操作する消火栓弁としても良い。
（消火栓装置）
上記の実施形態で示した消火栓装置の、例えば筐体に内蔵されるホース類や消火栓弁等のバルブ類、通報装置扉の構成及び配置、その他の構成については任意であり、適宜の構成を採用して良い。
【００７５】
（その他）
また本発明は、その目的と利点を損なうことのない適宜の変形を含み、更に、上記の実施形態に示した数値による限定は受けない。
【符号の説明】
【００７６】
１０：トンネル
１２：トンネル壁面
１４：監視員通路
１４ａ：側壁
１５：道路
１６：消火栓装置
１７：消火器箱
１８：ダクト
１９：取付口
２０：給水本管
２１：給水管
２２：電線管
２４：出入口
２５：手摺り
２６：前面パネル
２８：保守扉
３０：通報装置パネル
３２：消火栓操作パネル
３４：格子蓋
３６：ノズル扉
３８：ハンドル
４０：裏扉
４２：回転楕円ホルダ
４４：ノズル
４５：回転軸
４６：ノズル開口
４８：ホースガイド
５０：赤色表示灯
５２：発信機
５４：応答ランプ
５６：消火栓開放釦
５８：消火栓閉鎖釦
６０：筐体
６２：ホルダ金具
６４：ワイヤ
７０：ホース収納部
７２：バルブ類収納部
７５：ポンプ起動釦
７６：ホースバケット構造
７８：ホース取出口
８０：ホース
８２：配管接続口
８４：給水弁
８５，９５：配管
８６：消火栓弁
８８：自動調整弁
９０：メンテナンス装置
９２：ノズルホルダ
９３：ホルダ扉
９４：水圧アクチュエータ
９６：自動排水弁
９７：架台
９８：ロッド
１００：取付板
【図１】
0006510319.tif 000002
【図２】
0006510319.tif 000003
【図３】
0006510319.tif 000004
【図４】
0006510319.tif 000005
【図５】
0006510319.tif 000006
【図６】
0006510319.tif 000007
【図７】
0006510319.tif 000008
【図８】
0006510319.tif 000009
【図９】
0006510319.tif 000010
【図１０】
0006510319.tif 000011
【図１１】
0006510319.tif 000012